(57)【要約】【課題】迅速に原稿サイズ検知を行うことのできる原稿サイズ検知装置を提供する。【解決手段】原稿台に載置された原稿に光を照射し、前記原稿台の面に平行な第１方向に走査する光源と、光源からの光が照射される、第１方向に垂直な第２方向の１ラインのうち予め設定された一部の範囲である判定範囲の画像データの読み取りを指示する読取制御部と、判定範囲に入射した光に基づいて、読取制御部から指示された判定範囲の画像データを読み取る読取部と、判定範囲の画像データに基づいて、原稿のサイズを検知するサイズ検知部１５３とを備えた。【選択図】図２
2013098967.tif 000002
【特許請求の範囲】
【請求項１】
原稿台に載せられた原稿のサイズを検知する原稿サイズ検知装置であって、
前記原稿台に載せられた原稿に光を照射し、前記原稿台の面に平行な第１方向に走査する光源と、
前記光源からの光が照射される、前記第１方向に垂直な第２方向の１ラインのうち予め設定された一部の範囲である判定範囲の画像データの読み取りを指示する読取制御部と、
前記判定範囲に入射した光に基づいて、前記読取制御部から指示された前記判定範囲の前記画像データを読み取る読取部と、
前記判定範囲の前記画像データに基づいて、前記原稿のサイズを検知するサイズ検知部と
を備えたことを特徴とする原稿サイズ検知装置。
【請求項２】
前記読取部は、複数のフォトダイオードを有するＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）ラインセンサであって、前記複数のフォトダイオードのうち前記判定範囲に対応するフォトダイオードに入射した光に基づいて、前記判定範囲の前記画像データを読み取ることを特徴とする請求項１に記載の原稿サイズ検知装置。
【請求項３】
異なる複数の原稿サイズと、各原稿サイズにおける判定範囲とを対応付けて記憶する記憶部をさらに備え、
前記読取制御部は、前記記憶部に記憶されている各判定範囲の前記画像データの読み取りを指示し、
前記読取部は、各判定範囲の前記画像データを読み取り、
前記サイズ検知部は、各判定範囲の前記画像データに基づいて、前記原稿のサイズを検知することを特徴とする請求項１または２に記載の原稿サイズ検知装置。
【請求項４】
前記読取部により得られた前記画像データを平滑化する平滑化処理部をさらに備え、
前記サイズ検知部は、前記平滑化処理部による平滑化後の前記画像データに基づいて、前記原稿サイズを検知することを特徴とする請求項１から３のいずれか一項に記載の原稿サイズ検知装置。
【請求項５】
前記読取部により得られた前記画像データを２値化する２値化処理部をさらに備え、
前記サイズ検知部は、前記２値化処理部による２値化後の値に基づいて、前記原稿サイズを検知することを特徴とする請求項１から４のいずれか一項に記載の原稿サイズ検知装置。
【請求項６】
前記読取部により得られた前記画像データの信号を増幅する増幅処理部をさらに備え、
前記サイズ検知部は、前記増幅処理部による増幅後の前記画像データに基づいて、前記原稿サイズを検知することを特徴とする請求項１から５のいずれか一項に記載の原稿サイズ検知装置。
【請求項７】
原稿台に載置された原稿のサイズを検知する原稿サイズ検知装置で実行される原稿サイズ検知方法であって、
前記原稿台の面に平行な第１方向に走査して、前記原稿台に載置された原稿に光を照射する照射ステップと、
光が照射される、前記第１方向に垂直な第２方向の１ラインのうち予め設定された一部の範囲である判定範囲の画像データの読み取りを指示する読取制御ステップと、
前記判定範囲に入射した光に基づいて、前記読取制御ステップにおいて指示された前記判定範囲の前記画像データを読み取る読取ステップと、
前記判定範囲の前記画像データに基づいて、前記原稿のサイズを検知するサイズ検知ステップと
を含むことを特徴とする原稿サイズ検知方法。
【発明の詳細な説明】
【技術分野】
【０００１】
本発明は、原稿サイズ検知装置および原稿サイズ検知方法に関する。
【背景技術】
【０００２】
従来、イメージスキャナ等の原稿読取装置や、原稿読取装置を備えた複写機、ファクシミリ、印刷装置等の画像形成装置は、コンタクトガラス等の透明な原稿台上に載置された原稿のサイズを自動で判別する機能を有している。
【０００３】
原稿サイズを検知する方法としては、Ｂ４，Ａ４，Ｂ５等の定形の各種原稿サイズに対応した位置に反射型センサを設置して、その反応の組合せから原稿サイズを判定するものが一般に知られている。
【０００４】
しかし、近年においては、コストダウンの一環として反射型センサを用いず、原稿読取用のラインセンサを用いて原稿サイズを検知する方式も採用されている（例えば特許文献１参照）。
【０００５】
ラインセンサを用いた原稿サイズの検知方法では、画像読取装置において、まずＣＣＤ（Ｃｈａｒｇｅ  Ｃｏｕｐｌｅｄ  Ｄｅｖｉｃｅ  Ｉｍａｇｅ  Ｓｅｎｓｏｒ）で読み取られた原稿の画像信号をデジタル信号に変換し、原稿に対応する画像データを得る。そして、当該画像読取装置において、得られた画像データをラインメモリに格納し、ＣＰＵによるメモリアクセスによりラインメモリに記憶されている画像データを参照し、この画像データに基づいて、原稿サイズの判定を行う。
【０００６】
図１１−１に示すように、ＣＣＤにおいては、シフト信号がアサートされたタイミングでフォトダイオードアレイ４００からアナログシフトレジスタ４０１ａ，４０１ｂに電荷が移動する。すなわち、シフト信号のアサート間隔が１ライン当りの露光時間に相当する。この露光時間の経過後に各フォトダイオードに対応して設けられた複数のアナログシフトレジスタ４０１ａ，４０１ｂそれぞれの電荷が出力バッファ４０２ａ，４０２ｂに転送され、電荷電圧変換が施された後、外部に出力される。
【０００７】
ＣＣＤにおいては、原理的に常に全画素の読み出しが基本となる。このため、図１１−２に示すように、シフト信号のアサート間隔の間にフォトダイオードアレイ４００の全画素数以上の数の転送クロックが入力される必要がある。すなわち、例えばフォトダイオードアレイ４００が７３００個のフォトダイオードを有する場合には、７３００クロックが経過した後に、最終有効画素の電荷が出力される。
【発明の概要】
【発明が解決しようとする課題】
【０００８】
原稿サイズを検知するためには、ラインセンサが検知するラインのうち、検知対象とする原稿サイズに対応する所定の範囲の画像データのみが得られればよい。しかしながら、上述のように、従来の画像読取装置のＣＣＤにおいては、ラインの全画素読み出しを行う必要がある。このため、フォトダイオードアレイの全画素数以上の数の転送クロックの経過後でなければ、必要な画像データを得ることができず、原稿サイズ検知処理に時間がかかるという問題があった。
【０００９】
本発明は、上記に鑑みてなされたものであって、迅速に原稿サイズ検知を行うことのできる原稿サイズ検知装置および原稿サイズ検知方法を提供することを目的とする。
【課題を解決するための手段】
【００１０】
上述した課題を解決し、目的を達成するために、本発明は、原稿台に載置された原稿のサイズを検知する原稿サイズ検知装置であって、前記原稿台に載置された原稿に光を照射し、前記原稿台の面に平行な第１方向に走査する光源と、前記光源からの光が照射される、前記第１方向に垂直な第２方向の１ラインのうち予め設定された一部の範囲である判定範囲の画像データの読み取りを指示する読取制御部と、前記判定範囲に入射した光に基づいて、前記読取制御部から指示された前記判定範囲の前記画像データを読み取る読取部と、前記判定範囲の前記画像データに基づいて、前記原稿のサイズを検知するサイズ検知部とを備えたことを特徴とする。
【００１１】
また、本発明は、原稿台に載置された原稿のサイズを検知する原稿サイズ検知装置で実行される原稿サイズ検知方法であって、前記原稿台の面に平行な第１方向に走査して、前記原稿台に載置された原稿に光を照射する照射ステップと、光が照射される、前記第１方向に垂直な第２方向の１ラインのうち予め設定された一部の範囲である判定範囲の画像データの読み取りを指示する読取制御ステップと、前記判定範囲に入射した光に基づいて、前記読取制御ステップにおいて指示された前記判定範囲の前記画像データを読み取る読取ステップと、前記判定範囲の前記画像データに基づいて、前記原稿のサイズを検知するサイズ検知ステップとを含むことを特徴とする。
【発明の効果】
【００１２】
本発明によれば、迅速に原稿サイズ検知を行うことができるという効果を奏する。
【図面の簡単な説明】
【００１３】
【図１】図１は、スキャナ部の主要構成を示す図である。
【図２】図２は、ＣＭＯＳセンサおよび信号処理部の構成を示すブロック図である。
【図３】図３は、原稿サイズ判定テーブルのデータ構成を示す図である。
【図４】図４は、各原稿サイズの判定範囲を示す図である。
【図５】図５は、判定結果書込テーブルのデータ構成を示す図である。
【図６】図６は、原稿サイズ決定テーブルのデータ構成を示す図である。
【図７−１】図７−１は、原稿サイズ検知処理を開始するタイミングを説明するための図である。
【図７−２】図７−２は、原稿サイズ検知処理を開始するタイミングを説明するための図である。
【図８−１】図８−１は、キャリッジポジションを説明するための図である。
【図８−２】図８−２は、キャリッジポジションを説明するための図である。
【図９】図９は、画像形成装置１にかかる原稿サイズ検知処理を示すフローチャートである。
【図１０】図１０は、判定結果書込テーブルへの書き込み例を示す図である。
【図１１−１】図１１−１は、ＣＣＤのフォトダイオードアレイの主要構成を示す図である。
【図１１−２】図１１−２は、転送クロックを説明するための図である。
【発明を実施するための形態】
【００１４】
以下に添付図面を参照して、原稿サイズ検知装置および原稿サイズ検知方法の実施の形態を詳細に説明する。
【００１５】
本実施の形態においては、原稿サイズ検知装置の一例としての画像形成装置について説明する。本実施の形態にかかる画像形成装置は、原稿読取処理にかかるスキャナ部を備え、スキャナ部により読み取られた画像データに基づいて原稿サイズの検知を行うものである。本実施の形態にかかる画像形成装置はまた、スキャナ部により得られた画像データに基づいて画像を形成することにより、コピー機能を実現する。
【００１６】
図１は、第１の実施の形態にかかる画像形成装置１のスキャナ部の主要構成を示す図である。スキャナ部は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）ラインセンサ（以下、ＣＭＯＳセンサと称する）により原稿画像を読み取り、これをデジタル信号に変換することにより、画像データを得る。
【００１７】
画像形成装置１は、読取対象となる原稿２００を載置する原稿台としてのコンタクトガラス１００と、白基準板１０２と、光源１１１と、反射ミラー１１２〜１１４と、第１キャリッジ１１５と、第２キャリッジ１１６と、レンズユニット１１７と、センサボード１１８と、信号ケーブル１１９と、ＣＭＯＳセンサ１２０と、信号処理部１３０とを備えている。第１キャリッジ１１５は、光源１１１および第１反射ミラー１１２を搭載している。第２キャリッジ１１６は、第２反射ミラー１１３および第３反射ミラー１１４を搭載している。
【００１８】
光源１１１から照射された光は、コンタクトガラス１００に載せられた原稿により反射され、反射ミラー１１２〜１１４を経由してレンズユニット１１７に入射し、レンズユニット１１７により集光され、センサボード１１８に搭載されたＣＭＯＳセンサ１２０上に結像する。ＣＭＯＳセンサ１２０から出力される信号は、信号ケーブル１１９を経由して信号処理部１３０に入力される。白基準板１０２は、原稿読取にかかる光学系等に起因した各種の歪みを補正するために利用される。また、第１キャリッジ１１５および第２キャリッジ１１６は、スキャン動作時（走査時）に図示せぬステッピングモータの制御によりコンタクトガラス１００の主面に平行な所定の方向（図中矢印Ａの方向）に移動する。ここで、第１キャリッジ１１５および第２キャリッジ１１６が移動する方向を副走査方向と称する。なお、光源１１１、反射ミラー１１２〜１１４は、主走査方向に延びる形状に形成されている。ここで、主走査方向は、コンタクトガラス１００の主面に平行であって、かつ副走査方向に垂直な方向である。
【００１９】
図２は、図１において説明したＣＭＯＳセンサ１２０および信号処理部１３０の構成を示すブロック図である。ＣＭＯＳセンサ１２０は、フォトダイオードアレイ１２１と、スイッチ１２２と、電荷電圧変換部１２３と、増幅回路１２４と、出力バッファ１２５とを有している。フォトダイオードアレイ１２１は、主走査方向に沿って、複数のフォトダイオードを有している。この複数のフォトダイオードアレイに対応する主走査方向の範囲を１ラインと称する。
【００２０】
スイッチ１２２、電荷電圧変換部１２３および増幅回路１２４は、いずれもフォトダイオードアレイ１２１が有する複数のフォトダイオードそれぞれに対応して複数設けられている。なお、本実施の形態にかかる画像形成装置１においては、７３００画素を１ラインとし、フォトダイオードアレイ１２１は、７３００個のフォトダイオードを有している。
【００２１】
各フォトダイオードは、照射される光量に応じた電荷を発生する。フォトダイオードにおいて発生した電荷は、電荷電圧変換部１２３において、電圧量に変換される。すなわち、電荷電圧変換部１２３は、対応するフォトダイオードの感光量に応じた電圧量を生成する。さらに、電荷電圧変換部１２３から出力された電圧信号は、増幅回路１２４において、後述のＡＤＣ１３１の動作レンジに応じた増幅率で増幅される。増幅後の電圧信号は、出力バッファ１２５を経由し、信号処理部１３０に入力される。
【００２２】
スイッチ１２２は、後述の読出制御部１３４から出力される読出制御信号によりオンオフが制御される。フォトダイオードアレイ１２１において発生した電荷は、スイッチ１２２がオンの場合にのみ、各フォトダイオードに対応して設けられた電荷電圧変換部１２３に移動する。なお、通常の原稿読取動作においては、１画素目のフォトダイオードに対応するスイッチ１２２から順にオンされる。
【００２３】
信号処理部１３０は、ＡＤＣ１３１と、画像処理部１３２と、サイズ検知制御部１３３と、読出制御部１３４と、レジスタ部１４０と、乗算器１５０と、平滑化部１５１と、２値化演算部１５２と、サイズ検知部１５３と、タイミング信号生成部１５４とを有している。
【００２４】
ＡＤＣ１３１は、ＣＭＯＳセンサ１２０から入力された電圧信号を１０ｂｉｔのデジタル画像データに変換する。デジタル画像データは、画像処理部１３２および乗算器１５０に出力される。画像処理部１３２は、デジタル画像データに対し各種画像処理を施す。
【００２５】
サイズ検知制御部１３３は、所定のタイミングでサイズ検知処理を開始する。サイズ検知処理を開始するタイミングについては後述する。サイズ検知制御部１３３は、具体的には、所定のタイミングにおいて、後述のレジスタ部１４０に設けられた図示せぬスタートレジスタを有効にすることにより、読出制御部１３４に原稿サイズ検知のための読出制御信号を出力することを指示し、さらに乗算器１５０、平滑化部１５１、２値化演算部１５２、サイズ検知部１５３に処理の開始を指示する。
【００２６】
ＣＭＯＳセンサ１２０等における動作設定は、記憶部としてのレジスタ部１４０に設定および記憶することができる。レジスタ部１４０は、動作設定など各種情報を記憶する。ここで、レジスタ部１４０が記憶する情報について説明する。図３は、レジスタ部１４０が記憶する原稿サイズ判定テーブル１４１のデータ構成を示す図である。
【００２７】
原稿サイズ判定テーブル１４１は、後述のサイズ検知部１５３が原稿サイズを検知するために参照するテーブルである。原稿サイズ判定テーブル１４１は、具体的には、原稿サイズと、判定範囲の開始アドレスとを対応付けて記憶している。ここで、判定範囲とは、原稿サイズを判定するためにＣＭＯＳセンサ１２０が読み出すべき画素の範囲である。
【００２８】
図４は、各原稿サイズの判定範囲３０１〜３０５を示す図である。判定範囲３０１〜３０５は、いずれも主走査方向（図中矢印Ｂの方向）に配置された所定数の画素（所定の画素長）の範囲である。なお、判定範囲に含まれる画素の数は任意である。本実施の形態においては、３２画素とする。
【００２９】
図４に示すように、コンタクトガラス１００に読取対象となる原稿を載せる際には、コンタクトガラス１００の所定の頂点１０１に原稿の頂点の１つが一致するように、原稿をコンタクトガラス１００上に載せることとする。以下、コンタクトガラス１００の頂点１０１に原稿の頂点が一致するように、原稿をコンタクトガラス１００上に載せることを、原稿をセットすると称することとする。
【００３０】
コンタクトガラス１００にセットされた原稿の原稿サイズが大きいほど、コンタクトガラス１００の主走査方向（図中矢印Ｂの方向）において原稿がコンタクトガラス１００を覆う範囲が長くなる。そこで、原稿がコンタクトガラス１００にセットされた際に、判定対象となる原稿サイズの原稿が配置される領域であって、かつ判定対象となる原稿サイズよりも小さい原稿サイズの原稿が配置されない領域を対象となる原稿サイズに対する判定範囲として予め設定することとする。
【００３１】
例えば、Ｂ５ヨコの原稿サイズの判定範囲３０２は、Ｂ５ヨコの原稿サイズの原稿が配置される領域であるが、Ｂ５ヨコよりも小さい原稿サイズであるＡ５ヨコの原稿は配置されない領域である。
【００３２】
これにより、所定の原稿サイズの判定範囲において白の画像データが得られた場合、すなわち原稿ありの場合、対応する原稿サイズ以上の原稿がセットされていることがわかる。また、判定範囲において黒の画像データが得られた場合、すなわち原稿なしの場合、対応する原稿サイズ以上の原稿はセットされていないことがわかる。なお、異なる原稿サイズの判定範囲における判定結果を総合することにより、コンタクトガラス１００にセットされた原稿の原稿サイズを特定することができる。
【００３３】
上述のように、本実施の形態においては、判定範囲の画素長は原稿サイズによらずいずれも３２画素である。そこで、レジスタ部１４０に判定範囲の画素長が３２画素であることを予め設定しておき、図３に示す原稿サイズ判定テーブル１４１には、判定範囲として、判定範囲の開始アドレスのみを記憶することとする。これにより、レジスタ部１４０の判定範囲の画素長と、原稿サイズ判定テーブル１４１に記憶されている開始アドレスにより、判定範囲を特定することができる。
【００３４】
なお、他の例としては、原稿サイズごとに判定範囲の画素長は異なっていてもよい。また他の例としては、原稿サイズ判定テーブル１４１は、各原稿サイズに対応付けて、判定範囲として、判定範囲の開始アドレスおよび画素長を記憶してもよい。
【００３５】
図５は、レジスタ部１４０が記憶する判定結果書込テーブル１４２のデータ構成を示す図である。このように、判定結果書込テーブル１４２は、各原稿サイズに対し、それぞれ１ビットの書込領域を有している。判定結果書込テーブル１４２の書込領域は、２値化演算部１５２により各原稿サイズの判定結果が書き込まれる領域である。具体的には、原稿ありと判断された場合に「１」、原稿なしと判断された場合に「０」が書き込まれる。なお、判定結果書込テーブル１４２の各原稿サイズに対応する書込領域に書き込まれた値は、小さい原稿サイズから順にＢｉｔ０〜４の値として処理される。
【００３６】
図６は、レジスタ部１４０が記憶する原稿サイズ決定テーブル１４３のデータ構成を示す図である。原稿サイズ決定テーブル１４３は、サイズ検知部１５３が、原稿サイズを決定するために参照するテーブルである。原稿サイズ決定テーブル１４３は、評価値と原稿サイズを対応付けて記憶している。なお、評価値は、図５に示す判定結果書込みテーブル１４２に書き込まれた判定結果に基づいて算出される値である。評価値については、後に詳述する。
【００３７】
読出制御部１３４は、レジスタ部１４０に記憶されている原稿サイズ判定テーブル１４１を参照し、Ａ５ヨコの開始アドレスにより定まる判定範囲の画像データの読み出しを指示する読出制御信号をＣＭＯＳセンサ１２０に送出する。読出制御部１３４は、Ａ５ヨコの原稿サイズと同様に、Ｂ５ヨコからＡ３ヨコ／Ａ４タテまでの各原稿サイズ（原稿サイズ判定テーブル１４１に記憶されているすべての原稿サイズ）それぞれの判定範囲の読出制御信号を順次送出する。
【００３８】
乗算器１５０は、読出制御部１３４の制御によりＣＭＯＳセンサ１２０から読み出された判定範囲内の３２画素の画像データそれぞれに対し所定の値を乗算することにより、画像データを増幅する。なお、乗算器１５０において乗算される値は、予め設定された値である。光源１１１から照射される光量に基づいて任意に設定することができる。平滑化部１５１は、入力された画像データを平滑化する。平滑化部１５１は、具体的には、入力された画像データを加算し、平均レベル（Ａ）を算出する。
【００３９】
２値化演算部１５２は、平均レベル（Ａ）と予め設定されている閾値（Ｘ）とを比較し、比較結果を２値化する。ここで、閾値（Ｘ）は、画像データのフル階調（白）と０階調（白）の間の所定の値とする。なお、閾値（Ｘ）は、光源１１１から照射される光量に基づいて任意に設定することができる。
【００４０】
２値化演算部１５２は、判定結果書込テーブル１４２の処理対象となる原稿サイズに対応付けられている書込領域に、２値化した値を判定結果として書き込む。具体的には、平均レベル（Ａ）が閾値（Ｘ）以上である場合に、原稿なしと判断し、「０」を書き込み、平均レベル（Ａ）が閾値（Ｘ）未満である場合に、原稿ありと判断し、「１」を書き込む。
【００４１】
サイズ検知部１５３は、２値化演算部１５２により判定結果書込テーブル１４２に書き込まれた各値に基づいて、評価値を得る。サイズ検知部１５３は、具体的には、判定結果書込テーブル１４２の各原稿サイズに対応する書込領域に書き込まれた値を２進数におけるＢｉｔ０〜４の各位とする数を１０進数の数に変換し、変換後の値を評価値とする。
【００４２】
サイズ検知部１５３はさらに、原稿サイズ決定テーブル１４３を参照し、得られた評価値に対応付けられている原稿サイズを特定する。すなわち、サイズ検知部１５３は、コンタクトガラス１００にセットされた原稿の原稿サイズを、特定した原稿サイズとして検知する。
【００４３】
タイミング信号生成部１５４は、外部から取得する基準クロックに基づいて、ＡＤＣ１３１をはじめとする画像形成装置１における各部が参照する内部タイミング信号を生成する。ＡＤＣ１３１は、この内部タイミング信号にしたがい動作する。
【００４４】
画像形成部１６０は、サイズ検知部１５３により検知された原稿サイズに基づいて、原稿サイズに適した記録用紙を選択する。画像形成部１６０は、選択した記録用紙に、画像処理部１３２により得られた画像データに基づいて画像を形成する。
【００４５】
図７−１および図７−２は、原稿サイズ検知処理を開始するタイミングを説明するための図である。画像形成装置１は、コンタクトガラス１００を覆う開閉可能な原稿圧板１７０と、原稿圧板１７０が閉じられたことを検知する開閉センサ１７１とを備えている。図７−１に示すように、原稿セット時には、ユーザは原稿圧板１７０を開け、読取対象となる原稿２００をコンタクトガラス１００上にセットする。その後、ユーザは、図７−２に示すように原稿圧板１７０を閉じ、図示せぬ操作部においてスキャン開始を入力する。スキャン開始が入力された状態で、開閉センサ１７１が原稿圧板１７０が閉じられたことを検知すると、サイズ検知制御部１３３は、サイズ検知処理を開始する。
【００４６】
図８−１および図８−２は、原稿サイズ検知処理が開始される際のキャリッジポジションを説明するための図である。図８−１に示すように、スキャン動作を行わない待機時は、第１キャリッジ１１５は、コンタクトガラス１００の下の所定の第１ポジションに位置している。そして、ユーザからスキャン開始が入力され、開閉センサ１７１が原稿圧板１７０が閉じられたことを検知すると、光源１１１から光が照射され、サイズ検知処理が開始する。続いて、図８−２に示すように、第１キャリッジ１１５および第２キャリッジ１１６は第１キャリッジ１１５が白基準板１０２の下に位置するように移動し、第１キャリッジ１１５は、白基準板１０２の下の所定の第２ポジションに位置し、その後、原稿の走査が開始される。
【００４７】
図９は、画像形成装置１にかかる原稿サイズ検知処理を示すフローチャートである。ユーザにより原稿がセットされ、原稿圧板１７０が閉じられ、サイズ検知制御部１３３に開閉センサ１７１からサイズ検知開始信号が入力されると（ステップＳ１００，Ｙｅｓ）、サイズ検知制御部１３３は、サイズ検知処理を開始する。具体的には、読出制御部１３４に処理の開始を指示し、乗算器１５０など原稿サイズ検知処理を行う各部に処理の開始を指示する。
【００４８】
次に、読出制御部１３４は、レジスタ部１４０に記憶されている原稿サイズ判定テーブル１４１を参照し、Ａ５ヨコの開始アドレスを特定する（ステップＳ１０２）。読出制御部１３４は、さらに開始アドレスから読出画素分の判定範囲の画素の読み出しを指示する読出制御信号をＣＭＯＳセンサ１２０に送出する（ステップＳ１０４）。
【００４９】
次に、ＣＭＯＳセンサ１２０においては、判定範囲の画素が読み出される（ステップＳ１０６）。すなわち、読出制御信号にしたがい判定範囲のスイッチ１２２がオンされ、判定範囲のフォトダイオードにおいて発生した電荷が電荷電圧変換部１２３において電圧量に変換され、さらに増幅回路１２４において増幅された後、信号処理部１３０に送出される。
【００５０】
信号処理部１３０においては、ＡＤＣ１３１において電圧信号が画像データに変換された後、乗算器１５０において判定範囲の３２画素の画像データを乗算することにより、画像データが増幅される（ステップＳ１０８）。
【００５１】
次に、平滑化部１５１は、増幅後の画像データを加算して、平均レベル（Ａ）を算出することにより、画像データを平滑化する（ステップＳ１１０）。次に、２値化演算部１５２は、平均レベル（Ａ）と閾値（Ｘ）とを比較することにより、平均レベル（Ａ）を２値化する（ステップＳ１１２）。具体的には、平均レベル（Ａ）が閾値（Ｘ）以上である場合に０の値を生成し、平均レベル（Ａ）が閾値（Ｘ）よりも小さい場合に１の値を生成する。次に、２値化演算部１５２は、生成した値を判定結果書込テーブル１４１における対象となる原稿サイズに対応付けられている書込領域に書き込む（ステップＳ１１４）。
【００５２】
原稿サイズ判定テーブル１４１に記憶されている各原稿サイズに対して、ステップＳ１０２からステップＳ１１４までの処理を繰り返し（ステップＳ１１６，Ｎｏ）、原稿サイズ判定テーブル１４１に記憶されているすべての原稿サイズに対し、上記処理が完了すると（ステップＳ１１６，Ｙｅｓ）、サイズ検知部１５３は、２値化演算部１５２により判定結果書込テーブル１４２に書き込まれた値に基づいて、原稿サイズを検知する（ステップＳ１１８）。以上で原稿検知処理が完了する。
【００５３】
ここで、図１０を参照しつつ、データ書込み処理（ステップＳ１１４）からサイズ検知処理（ステップＳ１１８）について詳述する。データ書込み処理（ステップＳ１１４）において、２値化演算部１５２は、まずＡ５ヨコの原稿サイズに対応する判定範囲に対して生成したデータを、判定結果書込テーブル１４２のＡ５ヨコの原稿サイズ（Ｂｉｔ０）に対応する書込領域に書き込む。同様に、２値化演算部１５２は、Ｂｉｔ１〜Ｂｉｔ４に各原稿サイズに対応する判定範囲に対して生成した判定結果の値を書き込んでいく。
【００５４】
サイズ検知処理（ステップＳ１１８）においては、サイズ検知部１５３は、判定結果書込テーブル１４２を参照し、Ｂｉｔ０〜４に対応する書込領域に書き込まれた値を２進数の各位とする数を１０進数の数に変換し、評価値を得る。例えば、図１０に示すようにＢｉｔ０〜４にそれぞれ１，１，１，０，０が書き込まれたとする。この場合には、サイズ検知部１５３は、評価値７を得る。そして、サイズ検知部１５３は、原稿サイズ決定テーブル１４３を参照し、評価値に対応付けられている原稿サイズを、コンタクトガラス１００にセットされた原稿の原稿サイズとして検知する。サイズ検知部１５３は、評価値７が得られた場合には、原稿サイズ決定テーブル１４３において、評価値７に対応付けられている原稿サイズＡ４ヨコ／Ａ５タテを特定し、これを原稿サイズとして検知する。
【００５５】
このように、本実施の形態にかかる画像形成装置１においては、判定範囲の画素の読み出しのみを行うことにより、コンタクトガラス１００にセットされた原稿の原稿サイズを検知することができる。したがって、原稿サイズを検知するために、ＣＣＤラインセンサのように主走査方向の１ライン分すべの画素を読み出す必要がなく、原稿サイズ検知処理にかかる処理時間を短縮することができる。
【００５６】
なお、上記実施の形態では、原稿サイズ検知装置の一例として画像形成装置について説明したが、原稿サイズ検知装置は、コピー機能、プリンタ機能、スキャナ機能およびファクシミリ機能のうち少なくとも２つの機能を有する複合機、複写機、プリンタ、スキャナ装置、ファクシミリ装置等の画像形成装置であればいずれにも適用することができる。
【符号の説明】
【００５７】
１  画像形成装置
１２０  ＣＭＯＳセンサ
１２１  フォトダイオードアレイ
１２２  スイッチ
１２３  電荷電圧変換部
１２４  増幅回路
１３３  サイズ検知制御部
１３４  読出制御部
１４０  レジスタ部
１５０  乗算器
１５１  平滑化部
１５２  ２値化演算部
１５３  サイズ検知部
【先行技術文献】
【特許文献】
【００５８】
【特許文献１】特開２００７−６０００４号公報
【図１】
2013098967.tif 000003
【図２】
2013098967.tif 000004
【図３】
2013098967.tif 000005
【図４】
2013098967.tif 000006
【図５】
2013098967.tif 000007
【図６】
2013098967.tif 000008
【図７−１】
2013098967.tif 000009
【図７−２】
2013098967.tif 000010
【図８−１】
2013098967.tif 000011
【図８−２】
2013098967.tif 000012
【図９】
2013098967.tif 000013
【図１０】
2013098967.tif 000014
【図１１−１】
2013098967.tif 000015
【図１１−２】
2013098967.tif 000016